【手続補正書】
【提出日】平成16年11月26日(2004.11.26)
【手続補正１】
【補正対象書類名】特許請求の範囲
【補正対象項目名】全文
【補正方法】変更
【補正の内容】
【特許請求の範囲】
【請求項１】
ディジタル画像において偏光フィルタの効果をシミュレーションする方法であって、該ディジタル画像は、各々が有色温度を持った複数の画素を有し、有色温度の関数として寒色温度を有する複数の画素それぞれを暗くするステップを含む方法。
【請求項２】
有色温度の関数として暖色温度を有する複数の画素それぞれを明るくするステップをさらに含む請求項１の方法。
【請求項３】
コントラスト調整、彩度調整および輝度調整の中から選択される１又は複数の調整アルゴリズムを適用するステップをさらに含む請求項１の方法。
【請求項４】
ディジタル画像において偏光フィルタの効果をシミュレーションする方法であって、該ディジタル画像は、各々が有色温度を持った複数の有色画素を有し、有色温度の関数として寒色温度を有する複数の画素それぞれを暗くし、有色温度の関数として暖色温度を有する複数の画素それぞれを明るくするステップを含む方法。
【請求項５】
ディジタル画像において、回転角θでの偏光フィルタの効果をシミュレーションする方法であって、
（ａ）それぞれが画素の輝度と色温度とを有する複数の画素を含むディジタル画像を第１メモリに格納するステップと、
（ｂ）回転角θと色温度との関数として画素の輝度を変化させることにより前記複数の画素のそれぞれを変換するステップと、
（ｃ）変換された各画素を第２メモリに格納するステップと、
を含む方法。
【請求項６】
前記変換するステップが、有色温度の関数として寒色温度を有する画素の輝度を低減させることと、有色温度の関数として暖色温度を有する画素の輝度を増大させることとをさらに含む請求項５の方法。
【請求項７】
さらに、コントラスト調整、彩度調整および輝度調整の中から選択される１又は複数の調整アルゴリズムを適用することにより前記変換を調整するステップを含む請求項６の方法。
【請求項８】
ディジタル画像において、回転角θでの偏光フィルタの効果をシミュレーションする方法であって、
（ａ）それぞれが、第１赤チャネル輝度、第１緑チャネル輝度および第１青チャネル輝度を含むカラーチャネル輝度と、第１画素の輝度とを有する複数の画素を含む、ディジタル画像のＲＧＢの複製を第１メモリに格納するステップと、
（ｂ）前記複数の画素のそれぞれの１又は複数のカラーチャネル輝度を変換し、該変換が、
（１）第１の赤チャネル輝度から第２画素の輝度を計算するステップと、
（２）第１画素の輝度、第２画素の輝度および回転角θから角度で重み付けされた画素の輝度を計算するステップと、
（３）角度で重み付けされた画素の輝度、第１画素の輝度および第１青チャネルの輝度から第２青チャネルの輝度を計算するステップと、
を含むステップと、
（ｃ）前記複数の画素のそれぞれについて、１又は複数の変換されたカラーチャネル輝度を含むカラーチャネル輝度を第２メモリに格納するステップと、
を含む方法。
【請求項９】
第２画素の輝度はカラーチャネル輝度の平均である請求項８の方法。
【請求項１０】
前記変換するステップが、角度で重み付けされた画素の輝度、第１画素の輝度および第１の緑チャネルの輝度から第２の緑チャネル輝度を計算することにより複数の画素のそれぞれの第１の緑チャネル輝度を変換するステップと、角度で重み付けされた画素の輝度、第１画素の輝度および第１の赤チャネル輝度から第２の赤チャネル輝度を計算することにより複数の画素のそれぞれの第１の赤チャネル輝度を変換するステップとをさらに含む請求項８の方法。
【請求項１１】
角度で重み付けされた画素の輝度を計算するステップは、ｈ’’＝１／９０＊（（９０−｜θ―９０｜）＊ｈ’＋｜θ−９０｜＊ｈ）の式を含み、ここで、ｈ’’は角度で重み付けされた画素の輝度であり、ｈ’は第２画素の輝度であり、θは０から１８０度の範囲の角度である請求項８の方法。
【請求項１２】
第２の青チャネル輝度を計算するステップは、ｐ，ｂ＝（[Ｉｘｙ，ｂ＊ｈ’’／ｈ]＋Ｉｘｙ，ｂ＋[ｈ’’−ｈ]）／２の式を含み、ここで、ｐ，ｂは、第２の青チャネル輝度であり、ｈ’’は、角度で重み付けされた画素の輝度であり、ｈは第１画素の輝度であり、Ｉｘｙ，ｂは、第１の青チャネル輝度である請求項８の方法。
【請求項１３】
コントラスト調整、彩度調整および輝度調整の中から選択される１又は複数のアルゴリズムを適用することによりカラーチャネル輝度の変換を調整するステップをさらに含む請求項８の方法。
【請求項１４】
ディジタル画像において、回転角θでの偏光フィルタの効果をシミュレーションするステップをコンピュータベース情報処理システムに実施させるコンテンツを有する、コンピュータで読取り可能な媒体であって、該ステップが、
（ａ）それぞれが画素の輝度と、赤チャネル輝度、緑チャネル輝度および青チャネル輝度とを有する複数の画素を含むディジタル画像を第１メモリに格納し、
（ｂ）回転角θと赤チャネル輝度との関数として画素の輝度を変化させることにより複数の画素のそれぞれを変換し、
（ｃ）変換された各画素を第２メモリに格納すること、
を含むコンピュータで読取り可能な媒体。
【請求項１５】
ディジタル画像において回転角θでの偏光フィルタの効果をシミュレーションするステップを、コンピュータベース情報処理システムに実施させるコンテンツを有する、コンピュータで読取り可能な媒体であって、該ステップが、
（ａ）それぞれが、第１赤チャネル輝度、第１緑チャネル輝度および第１青チャネル輝度を含むカラーチャネル輝度と、第１画素の輝度とを有する複数の画素を含むディジタル画像のＲＧＢの複製を第１メモリに格納するステップと、
（ｂ）前記複数の画素のそれぞれの１又は複数のカラーチャネル輝度を変換し、該変換が、
（１）第１赤チャネル輝度から第２画素の輝度を計算するステップと、
（２）第１画素の輝度、第２画素の輝度および回転角θから角度で重み付けされた画素の輝度を計算するステップと、
（３）角度で重み付けされた画素の輝度、第１画素の輝度および第１青チャネル輝度から第２青チャネル輝度を計算するステップと、
を含むステップと、
（ｃ）前記複数の画素のそれぞれについて、１又は複数の変換されたカラーチャネル輝度を含むカラーチャネル輝度を第２メモリに格納するステップと、
を含むコンピュータで読取り可能な媒体。
【請求項１６】
ディジタル画像において偏光フィルタの効果をシミュレーションするステップを、コンピュータベースの情報処理システムに実施させるコンテンツを有するコンピュータで読取り可能な媒体であって、該ディジタル画像は、各々が有色温度を持った複数の画素を有し、有色温度の関数として寒色温度を有する画素のそれぞれを暗くするステップを含むコンピュータで読取り可能な媒体。
【請求項１７】
ディジタル画像において偏光フィルタの効果をシミュレーションするステップを、ディジタルカメラシステムに実施させるコンテンツを有するコンピュータで読取り可能な媒体であって、該ディジタル画像は、各々が有色温度を持った複数の有色画素を有し、有色温度の関数として寒色温度を有する複数の画素のそれぞれを暗くするステップを含むコンピュータで読取り可能な媒体。
【請求項１８】
ディジタル画像において回転角θでの偏光フィルタの効果をシミュレーションするディジタル偏光フィルタであって、該ディジタル画像は、各々が有色温度を持った複数の有色画素を有し、
プロセッサと、
プロセッサと通信するメモリと、
有色温度の関数として寒色温度を有する複数の画素のそれぞれを暗くするステップをプロセッサに実施させるコンテンツを有し、プロセッサと通信するコンピュータで読取り可能な媒体と、
を具備するディジタル偏光フィルタ。
【請求項１９】
有色温度の関数として暖色温度を有する複数の画素のそれぞれを明るくするステップをプロセッサに実施させるコンテンツを有するコンピュータで読取り可能な媒体をさらに具備する請求項１８のディジタル偏光フィルタ。
【請求項２０】
コントラスト調整及び彩度調整からなる一群から選択された１以上の調整アルゴリズムを更に適用するステップを含む請求項１又は６の方法。